(57)【特許請求の範囲】
【請求項１】
構造物の屋外空間側と屋内空間側とを連通する開口部の止水構造であって、
前記開口部の幅よりも大きな幅を有する止水板と、
前記止水板に配設され、前記止水板に進退自在な係合凸部と前記係合凸部が配設されたケーシングとを有する係合部と、
前記係合凸部と着脱自在に係合する係合凹部を有し、前記開口部に配設される枠体の一対の縦枠部材の対向面に埋設された係合受部と、
前記止水板の屋内側面の両端部に配設された縦枠側止水ゴムを有し、前記止水板の前記屋内側面の高さ方向と、前記止水板の鉛直方向下端部の床面に対向する面の前記止水板の幅方向全長とに配設された止水ゴムと、
を備え、
前記係合凸部が前記止水板の幅方向外側に向かって進出した状態で、前記係合凸部と前記係合凹部とが係合し、
前記止水ゴムは、前記止水板と前記一対の縦枠部材の当接部との間、前記止水板と前記床面との間を止水し、
前記係合凸部と前記係合凹部とが係合している状態では、前記係合部が取り付けられている箇所における前記止水板の前記屋内側面は、前記縦枠部材の屋外側面よりも屋外側に位置し、
前記係合凸部と前記係合凹部とが係合している状態と、前記係合凸部と前記係合凹部とが係合していない状態とのいずれの場合においても、前記縦枠側止水ゴムと前記ケーシングとは、前記止水板の幅方向に重なり合って配置されている、
ことを特徴とする開口部の止水構造。
【請求項２】
前記止水ゴムは、前記係合凸部と前記係合凹部とが係合した状態では押圧されて、前記止水ゴムが前記縦枠部材に密着して止水する、
ことを特徴とする請求項１に記載の開口部の止水構造。
【請求項３】
前記係合部は、プッシュボルトで構成され、
前記係合受部は、受坪で構成される、
ことを特徴とする請求項１または２に記載の開口部の止水構造。
【請求項４】
前記係合部は、ラッチで構成され、
前記係合受部は、ラッチ受けで構成される、
ことを特徴とする請求項１または２に記載の開口部の止水構造。
【請求項５】
前記係合凸部と前記係合凹部とが係合している状態では、前記係合部が取り付けられている箇所における前記止水板の前記屋内側面は、前記縦枠側止水ゴムの屋内側面よりも屋外側に位置している、
ことを特徴とする請求項１〜４のうちいずれか一つに記載の開口部の止水構造。
【請求項６】
前記縦枠側止水ゴムは、前記ケーシングよりも前記止水板の幅方向外側に配設され、
前記止水板の幅方向における前記縦枠側止水ゴムの内側の部分と、前記止水板の幅方向における前記ケーシングの外側の部分とは、接触して位置している、
ことを特徴とする請求項１〜５のうちいずれか一つに記載の開口部の止水構造。
【請求項７】
前記係合凸部が前記ケーシングから突出している状態では、前記係合部と前記縦枠側止水ゴムとが干渉するように構成されている、
ことを特徴とする請求項１〜６のうちいずれか一つに記載の開口部の止水構造。
【請求項８】
前記ケーシングは、前記止水板の前記屋内側面に配設され、
前記係合部は、前記ケーシングから前記止水板の前記屋内側面とは反対側に突出した解除ボタンを有し、
前記解除ボタンが押下されることにより、前記係合凸部と前記係合凹部との係合が解除される、
ことを特徴とする請求項１〜７のうちいずれか一つに記載の開口部の止水構造。
【発明の詳細な説明】
【技術分野】
【０００１】
本発明は、開口部の止水構造に関する。
【背景技術】
【０００２】
従来の止水板としては、例えば、特許文献１には、左右に開放面を対向させて並列する溝形のレール材と、この各レール材の下端を連結する接地板と、レール材内に両端縁を嵌入して落し込む止水板と、この止水板と接地板との対向面一方と、止水板とレール材との対向面一方にそれぞれ配設されたパッキング材を備えた止水装置が開示されている。この止水構造は、第１加圧装置および第２加圧装置によりパッキング材を圧縮して接地板と止水板の下縁との間の水漏れおよびレール材と止水板の端縁との間の水漏れを防止する。
【先行技術文献】
【特許文献】
【０００３】
【特許文献１】特開２００１−３２９７５９号公報
【発明の概要】
【発明が解決しようとする課題】
【０００４】
上述の特許文献１に記載の止水装置は、上記の構成により出入口から家屋やその他の建物内への浸水を阻止するものであるが、構造物側にレール材や接地板を含む大型の保持部材を配設する必要がある。ところが、例えば、建物の正面入口のように人目に付く場所は意匠性が重視されるため、構造物側に大型の保持部材を配設することは敬遠されることがある。
【０００５】
本発明は、上記の事情に鑑みてなされたものであって、開口部の意匠性を大きく損なわず、容易に着脱自在な開口部の止水構造を提供することを目的とする。
【課題を解決するための手段】
【０００６】
上記目的を達成するために、本発明に係る開口部の止水構造は、構造物の屋外空間側と屋内空間側とを連通する開口部の止水構造であって、前記開口部の幅よりも大きな幅を有する止水板と、前記止水板に配設され、前記止水板に進退自在な係合凸部と前記係合凸部が配設されたケーシングとを有する係合部と、前記係合凸部と着脱自在に係合する係合凹部を有し、前記開口部に配設される枠体の一対の縦枠部材の対向面に埋設された係合受部と、前記止水板の屋内側面の高さ方向と、前記止水板の屋内側面の両端部に配設された縦枠側止水ゴムを有し、前記止水板の鉛直方向下端部の床面に対向する面の前記止水板の幅方向全長とに配設された止水ゴムと、を備え、前記係合凸部が前記止水板の幅方向外側に向かって進出した状態で、前記係合凸部と前記係合凹部とが係合し、前記止水ゴムは、前記止水板と前記一対の縦枠部材の当接部との間、前記止水板と前記床面との間を止水し、前記係合凸部と前記係合凹部とが係合している状態では、前記係合部が取り付けられている箇所における前記止水板の前記屋内側面は、前記縦枠部材の屋外側面よりも屋外側に位置し、前記係合凸部と前記係合凹部とが係合している状態と、前記係合凸部と前記係合凹部とが係合していない状態とのいずれの場合においても、前記縦枠側止水ゴムと前記ケーシングとは、前記止水板の幅方向に重なり合って配置されている、ことを特徴とする。
【０００７】
上記開口部の止水構造では、前記止水ゴムは、前記係合凸部と前記係合凹部とが係合した状態では押圧されて、前記止水ゴムが前記縦枠部材に密着して止水する、ものとすることができる。
【０００８】
また、上記開口部の止水構造では、前記係合部は、プッシュボルトで構成され、前記係合受部は、受坪で構成される、ものとすることができる。
【０００９】
また、上記開口部の止水構造では、前記係合部は、ラッチで構成され、前記係合受部は、ラッチ受けで構成される、ものとすることができる。
また、上記開口部の止水構造では、前記係合凸部と前記係合凹部とが係合している状態では、前記係合部が取り付けられている箇所における前記止水板の前記屋内側面は、前記縦枠側止水ゴムの屋内側面よりも屋外側に位置している、ものとすることができる。
また、上記開口部の止水構造では、前記縦枠側止水ゴムは、前記ケーシングよりも前記止水板の幅方向外側に配設され、前記止水板の幅方向における前記縦枠側止水ゴムの内側の部分と、前記止水板の幅方向における前記ケーシングの外側の部分とは、接触して位置している、ものとすることができる。
また、上記開口部の止水構造では、前記係合凸部が前記ケーシングから突出している状態では、前記係合部と前記縦枠側止水ゴムとが干渉するように構成されている、ものとすることができる。
また、上記開口部の止水構造では、前記ケーシングは、前記止水板の前記屋内側面に配設され、前記係合部は、前記ケーシングから前記止水板の前記屋内側面とは反対側に突出した解除ボタンを有し、前記解除ボタンが押下されることにより、前記係合凸部と前記係合凹部との係合が解除される、ものとすることができる。
【発明の効果】
【００１０】
本発明に係る開口部の止水構造は、開口部に止水板を保持するための大型の保持部材を要しないため、開口部の意匠性を大きく損なわず、容易に着脱可能である、という効果を奏する。
【図面の簡単な説明】
【００１１】
【図１】図１は、実施形態１に係る開口部の止水構造の概略構成を表す平面図である。
【図２】図２は、図１に示された開口部の止水構造の概略構成を表す正面図である。
【図３】図３は、図１に示された開口部の止水構造の概略構成を表す斜視図である。
【図４】図４は、図１に示された止水板と係合部とを示す正面図である。
【図５】図５は、図１に示された係合受部を示す正面図である。
【図６】図６は、実施形態に係る開口部の止水構造の設置状態を説明する平面図であり、係合部と係合受部とが係合していない状態を示す図である。
【図７】図７は、図６における止水ゴムと縦枠部材とを拡大して示す側面図である。
【図８】図８は、実施形態に係る開口部の止水構造の設置状態を説明する平面図であり、係合部と係合受部とが係合した状態を示す図である。
【図９】図９は、図８における止水ゴムと縦枠部材とを拡大して示す側面図である。
【図１０】図１０は、実施形態２に係る開口部の止水構造の止水板と係合部とを示す正面図である。
【図１１】図１１は、実施形態２に係る開口部の止水構造の係合受部を示す正面図である。
【図１２】図１２は、その他の実施形態に係る開口部の止水構造の係合受部の一例を示す正面図である。
【発明を実施するための形態】
【００１２】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１３】
［実施形態１］
図１は、実施形態１に係る開口部の止水構造の概略構成を表す平面図である。図１ないし図３に示す実施形態の開口部の止水構造１は、開口部Ｏから構造物Ｓの内部に水が浸入することを防止するものである。開口部Ｏは、構造物Ｓの壁部Ｗなどに形成され、構造物Ｓの一方の空間側（例えば、屋外空間側）と他方の空間側（例えば、屋内空間側）とを連通するように形成される。なお、防止とは阻止や抑制などの意味を含むものとする。
【００１４】
このような構造物Ｓの開口部Ｏには、開閉体としてシャッターや開閉扉が設置されていることが多い。例えば、地下駐車場の入口や、店舗の入口等にもシャッターや開閉扉が設置されていることが多い。シャッターは隙間が多い構造であるため、ゲリラ豪雨や洪水時のように想定以上の降水量となると、シャッターの隙間を介して浸水し、施設が被害に遭う可能性がある。また、開閉扉は扉間および各扉と開口部との間に隙間があるため、同様に施設が被害に遭う可能性がある。
【００１５】
図１ないし図３に示す実施形態の開口部の止水構造１は、ビル、家屋、倉庫等の構造物を含む構造物Ｓに形成された開口部Ｏを開放あるいは閉塞する開閉体（開閉扉）２を通して構造物Ｓの内部に水が浸入することを防止するものである。
【００１６】
なお、以下の説明では、水平方向に沿った方向であって後述する枠体３の一対の縦枠部材３１が向かい合う方向を「扉幅方向」という場合がある。また、下流側（屋内空間側）とは、水の浸入を防止、すなわち、水の浸入を阻止や抑制したい側であり、上流側（屋外空間側）とは、浸入可能性のある水が流れてくる側のことである。なお、屋外空間側や屋内空間側とは水が浸入する可能性がある場合の上流側や下流側を意味する便宜上の文言であり、本発明は、例えば廊下等の通路のような家屋や部屋等の概念が必ずしも明確にならない場所に設置された扉に対しても適用できる。
【００１７】
開閉扉２は、図１に示すように、枠体３の屋内側に配設され、扉幅方向にスライド可能に支持された両開き式の一対の扉２１を有する。開閉扉２は、扉２１が開口部Ｏを閉塞させる閉塞位置と、開口部Ｏを開放させる開放位置とに亘って枠体３に対して扉幅方向にスライドすることで、開口部Ｏを開放あるいは閉塞する。具体的には、開閉扉２は、一対の扉２１が互いに近付いて開口部Ｏを閉塞し、一対の扉２１が互いに離間して開口部Ｏを開放する。扉２１の移動は、手動でなされても、モータ等の駆動装置によって自動でなされてもよい。また、開閉扉２は後述する止水板４と接触しないため、止水板４を開口部Ｏに設置した状態で、開閉扉２が開閉可能である。
【００１８】
扉２１は、図示しないガイドレールによって案内される。ガイドレールは、開口部Ｏの上下両端に配設され、壁部Ｗの表面と平行である。扉２１の上下方向両端部は、それぞれガイドレールの溝部に挿入されている。溝部は、開閉方向、すなわち、扉幅方向に延在しており、扉２１を扉幅方向にスライド自在に案内する。図１に示すように、扉２１の扉幅方向の両端には、扉２１よりも厚い扉側縦方立２１ａが配設され、図２、図３に示すように、扉２１の下端部には、扉２１よりも厚い扉側幅木２１ｂが配設されている。扉側縦方立２１ａの厚みと扉側幅木２１ｂの厚みは等しい。なお、本発明でいう床面Ｆとは、説明上分かりやすくするための便宜上の表現であって、通常の床面Ｆのみならず、コンクリート面や地面等の開口部Ｏの下方に位置する面を総称する。
【００１９】
枠体３は、図１、図３に示すように、開口部Ｏの周囲の壁部Ｗよりも厚く、防錆性を有する金属材で構成され、開口部Ｏの周囲を囲むように構造物Ｓに固定的に設置されている。枠体３は、図２に示すように、左右一対の方立としての縦枠部材３１と、上枠部材３２と、幅木としての下枠部材３３とを含んで構成される。一対の縦枠部材３１、上枠部材３２、下枠部材３３は、それぞれ板状の金属材により中空状の断面形状に形成されている。
【００２０】
縦枠部材３１は、開口部Ｏの扉幅方向両端部に１つずつ、上下方向に沿って配設されている。一対の縦枠部材３１は、図１、図３に示すように、開閉扉２よりも屋外側に配設されている。一対の縦枠部材３１は、扉幅方向において開口部Ｏの空間部分を挟んで対向する対向面３１ａを有している。
【００２１】
上枠部材３２は、図２に示すように、開口部Ｏの上下方向上側に配設されている。下枠部材３３は、開口部Ｏと隣接する壁部Ｗ下方で床面Ｆ上方に配設されている。上枠部材３２および下枠部材３３は、扉幅方向に沿って配設されている。
【００２２】
枠体３は、開口部Ｏの内面側にて一対の縦枠部材３１の上端部と上枠部材３２の両端部とが連結されており、一対の縦枠部材３１の下端部と下枠部材３３の一端部とが連結されており、全体として開口部Ｏに対応した形状に構成されている。
【００２３】
止水板４は、図２、図３に示すように、開口部Ｏの上下方向下側の領域を閉塞することが可能な幅および高さを有する直方体状であり、防錆性を有する板状の金属材を加工してパネル状に形成されている。止水板４は、人が跨ぐことで開閉扉２を介して構造物Ｓの出入りが可能なものであり、開口部Ｏの幅Ｌ１よりも大きな幅で、人が跨ぐことができる高さ、具体的には例えば、数１０ｃｍに設定されている。止水板４は、開口部Ｏの床面Ｆから数１０ｃｍの高さを閉塞し、浸水時に屋内空間側への水の浸入を防止する。
【００２４】
また、止水板４は、持ち運び自在な重量であり、浸水時の水圧に耐え得る剛性を有している。止水板４は、より詳しくは、アルミを含む防錆性を有する軽量の金属板を、断面形状がコの字型に加工して骨材とし、４つの骨材を組み合わせて四角形のフレームとする。そして、フレームの正面および背面の開口部を四角形のパネルでそれぞれ閉塞する。また、フレームとパネルとで囲われた内部の空間に充填剤を充填すると、軽量で剛性の高い止水板４が形成される。
【００２５】
止水板４は、開口部Ｏへの設置時に正しい設置方向を作業者に示すため、屋内側面４ａには「屋内側」、屋外側面４ｂには「屋外側」と記載されている。また、止水板４の屋内側面４ａの中央部上側、屋外側面４ｂの中央部上側にはそれぞれ、運搬時や設置、取外し時の取り扱いを容易にするための把持部４１が形成されている。
【００２６】
係合部（プッシュボルト）５は、図４に示すように、止水板４の屋内側面４ａの上下方向の半分よりも上方、好ましくは上端部に２つ配設されている。２つのプッシュボルト５の間隔Ｌ２は、開口部Ｏの幅Ｌ１と同等またはわずかに小さく設定されている。プッシュボルト５は、止水板４の扉幅方向に進退自在な係合凸部（ボルト軸）５１と、解除ボタン５２とがケーシング５３に配設されている。ボルト軸５１は、後述する受坪６の受箱６２（図５参照）と係合可能な形状、大きさに設定されている。解除ボタン５２は、止水板４の扉幅方向外側に進出したボルト軸５１を、扉幅方向内側に退行させて元の位置に復帰させるものである。
【００２７】
プッシュボルト５はボルト頭部５１ａを矢印方向に押し込むと、ボルト軸５１が扉幅方向外側に進出してケーシング５３から突出する。また、プッシュボルト５は解除ボタン５２を押下すると、ボルト軸５１が扉幅方向内側に退行して元の位置に復帰する。このように、プッシュボルト５は、ボルト軸５１が扉幅方向外側に進出すると、解除ボタン５２を押下するまでその状態を維持する。
【００２８】
係合受部（受坪）６は、図２、図３に示すように、一対の縦枠部材３１の対向面３１ａに１つずつ配設されている。受坪６は、図５に示すように、受座６１と、係合凹部（受箱）６２とを有する。受坪６は、受座６１の上面が縦枠部材３１からわずかに突出した状態で、受箱６２が縦枠部材３１に埋設されている。受座６１は、受坪６とプッシュボルト５の係合時に、受箱６２とプッシュボルト５のボルト軸５１との間に介在して、座金と同様に機能する。受箱６２は、プッシュボルト５のボルト軸５１が係合可能な形状、大きさである。なお、この受坪６は、受箱６２の開口を覆うカバーが、常時、受座６１と同一面となるようにバネによって付勢されており、受箱６２の開口が露出しないものである。さらに、受坪６を介して一対の縦枠部材３１内に水が浸入しないように、受坪６は縦枠部材３１に設置されている。
【００２９】
プッシュボルト５と受坪６とを係合して、止水板４を開口部Ｏに設置した状態では、後述する止水ゴム７が押圧されて床面Ｆと一対の縦枠部材３１とに密着して止水するように、プッシュボルト５と受坪６の設置位置が設定されている。
【００３０】
止水ゴム７は、図４に示すように、止水板４の底面に配設された底面止水ゴム７１と、屋内側面４ａの両端部に配設された縦枠側止水ゴム７２とを有している。底面止水ゴム７１は、止水板４の底面に長手方向（扉幅方向）全長に亘って配設されている。一対の縦枠側止水ゴム７２は、屋内側面４ａのケーシング５３、および、ケーシング５３から突出前のプッシュボルト５よりも扉幅方向外側に、短手方向（高さ方向）全長に亘って配設されている。なお、プッシュボルト５がケーシング５３から突出している状態、および、プッシュボルト５が受坪６と係合している状態では、プッシュボルト５が縦枠側止水ゴム７２と扉幅方向において同じ位置か外側に位置する。このため、プッシュボルト５と縦枠側止水ゴム７２とが離間して干渉しないように構成することが好ましいが、例えば、縦枠側止水ゴム７２の擦り減り分がわずかであるなど、使用上、支障がなければ干渉するように構成されていてもよい。止水ゴム７は、止水板４が枠体３に設置された状態で、底面止水ゴム７１が止水板４と床面Ｆとの間に介在し、縦枠側止水ゴム７２が止水板４と枠体３の縦枠部材３１との間に介在する。このとき、止水ゴム７が床面Ｆ方向、屋内外側方向に押圧されて弾性変形した状態で、プッシュボルト５と受坪６とが係合しているため、底面止水ゴム７１が床面Ｆに密着し、一対の縦枠側止水ゴム７２が一対の縦枠部材３１に密着して、止水板４と床面Ｆ、止水板４と一対の縦枠部材３１の当接部との間を水が流れることを抑制する。すなわち、屋外空間側から屋内空間側に水が浸入することを抑制する。
【００３１】
上記のように構成される開口部の止水構造１の使用方法について説明する。開口部Ｏに止水板４を設置する際は、作業者は保管場所から止水板４を運搬する。このとき、作業者は止水板４の把持部４１を把持して、図３に示すように、止水板４を開口部Ｏの屋外側に運搬する。
【００３２】
作業者は、開口部Ｏにおける止水板４の設置位置に、屋外側から止水板４を載置する。具体的には、作業者は、止水板４の底面を止水板４の設置位置、すなわち、一対の縦枠側止水ゴム７２が一対の縦枠部材３１と当接する位置に合わせて、止水板４を床面Ｆに載置する。このとき、作業者は、止水板４に記載された「屋内側」、「屋外側」の表示を確認して、正しい設置方向を確認する。また、止水板４は、上側に向かって屋外側に傾いた状態とする。図６、図７は、止水板４の設置前の状態、すなわち、プッシュボルト５と受坪６とが係合していない状態を示している。この状態では、止水板４は縦枠部材３１と離間しており、止水ゴム７は弾性変形していない。
【００３３】
そして、作業者は、止水板４を床面Ｆに押圧しながら、止水板４の底面を軸として、止水板４の上側を屋内側に押しながら、止水板４が床面Ｆから垂直に立設した状態となるまで回動させる。
【００３４】
止水板４が床面Ｆから垂直となり、止水板４が縦枠部材３１と当接したら、作業者は、止水板４を床面Ｆ、屋内側に押圧しながら、プッシュボルト５と受坪６の位置を合わせる。そして、作業者は、止水板４を床面Ｆ、屋内側に押圧しながら、一方のプッシュボルト５のボルト頭部５１ａを押し込んで、プッシュボルト５と受坪６とを係合させる。そして、作業者は、他方のプッシュボルト５も同様に、プッシュボルト５と受坪６とを係合させる。このとき、止水ゴム７は、弾性変形して潰れた状態であり、止水ゴム７の復元力によって、床面Ｆ、一対の縦枠部材３１に押圧されて密着している。図８、図９は、プッシュボルト５と受坪６とが係合している状態、すなわち、止水板４を設置した状態を示している。この状態では、弾性変形して潰れた止水ゴム７を介して、止水板４と床面Ｆ、一対の縦枠部材３１とが密着している。
【００３５】
このようにして、開口部Ｏに止水板４が設置される。止水板４の底面止水ゴム７１と床面Ｆとの摩擦力が作用しているため、止水板４が床面Ｆに対して滑ってずれることが抑制される。また、止水板４は、プッシュボルト５と受坪６との係合によって縦枠部材３１に固定されているため、止水板４の上側が強固に支持される。これらのことにより、浸水時に止水板４に水圧が作用したとしても、止水板４は滑ってずれることを避けることができる。また、止水板４が水から受ける浮力に、より強固に抗するためには、ケーシング５３からのプッシュボルト５の突出量は大きいことが好ましい。このため、例えば、ケーシング５３からのプッシュボルト５の突出量は止水板４の厚さ寸法よりも大きいことが好ましく、プッシュボルト５と受坪６との係合量が止水板４の厚さ寸法よりも大きいことがより好ましい。
【００３６】
また、開口部Ｏに設置された止水板４は、開閉扉２と接触していないので、開閉扉２は開閉自在であり、止水板４を跨ぐことで開閉扉２を介して構造物Ｓの出入りが可能である。
【００３７】
開口部Ｏに設置された止水板４を取外す際は、作業者は、一方の手で止水板４の把持部４１を把持した状態で、他方の手でプッシュボルト５の解除ボタン５２を押下してプッシュボルト５と受坪６との係合を解除する。このとき、止水ゴム７の復元力により止水板４は屋外側に押し戻されて容易に取外される。また、受坪６は、バネの復元力によって受箱６２の開口を覆うカバーが受座６１と同一面となるように復帰するので、受箱６２の開口は露出しない。そして、作業者は、止水板４を保管場所まで運搬して収納する。このようにして、開口部Ｏに設置された止水板４が取外される。
【００３８】
上記のように構成される開口部の止水構造１によれば、止水板４の設置時は、止水板４を床面Ｆ、屋内側に押圧しながら、プッシュボルト５と受坪６との位置を合わせる。そして、ボルト頭部５１ａを押し込むだけで、プッシュボルト５と受坪６とが係合されて、止水板４は開口部Ｏに容易に設置される。また、開口部Ｏに設置された止水板４の取外し時は、プッシュボルト５の解除ボタン５２を押すだけでプッシュボルト５と受坪６との係合が解除され、止水ゴム７の復元力により止水板４は屋外側に押し戻されて容易に取外される。
【００３９】
また、開口部Ｏへの止水板４の設置時には、止水ゴム７が、止水板４と床面Ｆ、止水板４と一対の縦枠部材３１との間に介在し、床面Ｆ、一対の縦枠部材３１の双方に押圧されて密着し弾性変形する。このように止水ゴム７によって、止水板４と床面Ｆ、止水板４と一対の縦枠部材３１の当接部との間を水が流れることが抑制される。
【００４０】
さらに、浸水時に止水板４に水圧が作用したとしても、止水板４は構造物Ｓに固定的に配設された縦枠部材３１の全面で支持されるため、水圧は分散して支持される。
【００４１】
以上で説明した実施形態に係る開口部の止水構造１によれば、受坪６は、枠体３の一対の縦枠部材３１の対向面３１ａに、開口部Ｏに大きく突出しない状態で埋設されている。このため、開口部Ｏへ止水板４を設置していない通常時には、開口部Ｏにレール材や接地板を含む大型の保持部材が配設されておらず、開口部Ｏから大きく突出した部材がないので、開口部Ｏの意匠性を損なわない。このように開口部の止水構造１は、開口部Ｏの美観を損なわないので、構造物Ｓの正面入口のように人目に付く場所に設置することにも適している。
【００４２】
また、開口部Ｏへの止水板４の設置時は、止水板４を床面Ｆ、屋内側に押圧しながら、プッシュボルト５と受坪６との位置を合わせて、ボルト頭部５１ａを押し込むだけでプッシュボルト５と受坪６とが係合される。このように、止水板４は容易に開口部Ｏに設置できる。また、開口部Ｏに設置された止水板４の取外し時は、解除ボタン５２を押すだけでプッシュボルト５と受坪６との係合が解除され、止水ゴム７の復元力により止水板４は屋外側に押し戻される。このように、止水板４は容易に開口部Ｏから取外しできる。開口部の止水構造１は、止水板４の設置、取外しに工具を必要とせず、誰でも短時間で容易に設置、取外しができる。
【００４３】
また、開口部Ｏへの止水板４の設置時には、底面止水ゴム７１が止水板４と床面Ｆとの間に介在し、縦枠側止水ゴム７２が止水板４と一対の縦枠部材３１の当接部との間に介在しており、止水ゴム７が床面Ｆ方向、屋内外側方向に押圧されて弾性変形した状態で固定されている。このため、底面止水ゴム７１が床面Ｆに密着し、縦枠側止水ゴム７２が縦枠部材３１に密着して、止水板４と床面Ｆ、一対の縦枠部材３１の当接部との間を水が流れることを抑制する。すなわち、開口部の止水構造１によって、屋外空間側から屋内空間側に水が浸入することを防止できる。
【００４４】
しかも、この開口部の止水構造１は、既存の構造物Ｓには縦枠部材３１に受坪６を埋設するだけでよく、大きな改修工事を必要としない。そのため、開口部の止水構造１は既設の構造物Ｓを含む様々な構造物Ｓに適用することができる。
【００４５】
さらに、浸水時に止水板４に水圧が作用したとしても、止水板４は構造物Ｓに固定的に配設された縦枠部材３１の全面で支持されるため、水圧を分散して支持することができる。このため、開口部の止水構造１は、簡易な構成でも、水圧に耐え得る強度を備えることができる。
【００４６】
［実施形態２］
図１０、図１１を参照して、実施形態２について説明する。なお、実施形態１と同一部分には、同一符号を付して説明を省略する。実施形態２に係る開口部の止水構造１は、係合部がラッチ８で構成され、係合受部がラッチ受け９で構成されている点で、実施形態１と異なる。
【００４７】
ラッチ８は、図１０に示すように、止水板４の屋内側面４ａの上下方向の半分よりも上方、好ましくは上端部に２つ配設されている。ラッチ８は、ケーシング８３に進退自在なラッチボルト８１と、解除ハンドル８２とがケーシング８３に配設されている。ラッチボルト８１は、後述するラッチ受け９の受孔９２と係合可能な形状、大きさに設定されている。解除ハンドル８２は、進出したラッチボルト８１を、ケーシング８３内に退行させるものである。ラッチ８は、通常状態においてラッチボルト８１がケーシング８３から突出し、かつ退行移動が阻止された状態にある。したがって、ラッチ８をラッチ受け９に係合させることで、開口部Ｏに止水板４を設置した状態に維持することができる。そして、ラッチ８がラッチ受け９に係合した状態から解除ハンドル８２を回動させると、ラッチボルト８１がケーシング８３内に退行して、ラッチ８とラッチ受け９との係合を解除することができる。
【００４８】
ラッチ受け９は、図１１に示すように、一対の縦枠部材３１の対向面に１つずつ配設されている。ラッチ受け９は、受座９１と、受孔９２とを有する。また、止水板４が水から受ける浮力に、より強固に抗するためには、ケーシング８３からのラッチ８の突出量は大きいことが好ましい。このため、例えば、ケーシング８３からのラッチ８の突出量は止水板４の厚さ寸法よりも大きいことが好ましく、ラッチ８とラッチ受け９との係合量が止水板４の厚さ寸法よりも大きいことがより好ましい。
【００４９】
実施形態に係る開口部の止水構造１によれば、開口部の止水構造１の開口部Ｏへの設置時は、止水板４を床面Ｆ、屋内側に押圧しながら、ラッチ８とラッチ受け９との位置を合わせるだけで係合される。このように、止水板４は容易に開口部Ｏに設置できる。また、開口部Ｏに設置された止水板４の取外し時は、解除ハンドル８２を回動するだけでラッチ８とラッチ受け９との係合が解除され、止水ゴム７の復元力により止水板４は屋外側に押し戻される。このように、止水板４は容易に開口部Ｏから取外しできる。
【００５０】
前述した実施形態では、プッシュボルト５やラッチ８の数は２つに限定されないことはもちろんであり、止水板４の大きさや設置場所に合わせてその数を設定すればよく、例えば、止水板４の屋内側面４ａの上端部に２つ、下端部に２つの合計４つを配設してもよい。
【００５１】
また、プッシュボルト５やラッチ８などの係合部は、止水板４の屋内側面４ａに配設するのが好ましいが、これには限定されない。使用上、支障がなければ、例えば、止水板４の扉幅方向側面に配設して屋内側に突出させたり、屋外側面に配設して床面側に突出させたりしてもよい。また、扉幅方向に枠などの躯体が配設されていれば、扉幅方向に突出させてもよい。この場合は、受坪６やラッチ受け９などの係合受部は係合部の配設位置に対応させて配設する。
【００５２】
また、開閉扉２は止水板４と接触しないため、開閉扉２が配設されない開口部Ｏであっても、開口部の止水構造１を適用することができる。
【００５３】
また、止水板４の設置時における開閉扉２の開閉が要求されない場合は、止水板４が開閉扉２と接触するように配設してもよい。例えば、止水板４の扉幅方向の中央部を、開閉扉２と接触させる。これにより、浸水時に止水板４に作用する水圧は、開閉扉２によっても支持される。このため、止水板４に要求される強度を低減することができる。
【００５４】
また、縦枠側止水ゴム７２は、短手方向（高さ方向）全長に亘って配設されているものとして説明したが、これに限定されるものではない。例えば、開口部の止水構造１が適用される場所の予測浸水時水位よりも高くなればよい。すなわち、縦枠側止水ゴム７２は、止水板４の底面から予測浸水時水位＋αの高さまで配設されていればよい。
【００５５】
さらに、係合受部は、例えば、図１２に示す落し受１６０であってもよい。落し受１６０は、楕円形の受座１６１と、楕円形の係合凹部（受箱）１６２とを有する。この落し受１６０は、縦枠部材３１の奥行き方向（水の浸入方向、屋外空間側から屋内空間側に向かう方向）が長手方向となるよう配設されている。このため、開口部Ｏへの止水板４の設置時は、プッシュボルト５と落し受１６０との位置合わせに、遊びが生じるため、より容易に止水板４を設置することができる。なお、落し受１６０を介して一対の縦枠部材３１内に水が浸入しないように、落し受１６０は縦枠部材３１に設置されている。
【００５６】
なお、上述した本発明の実施形態、変形例に係る開口部の止水構造は、上述した実施形態、変形例に限定されず、特許請求の範囲に記載された範囲で種々の変更が可能である。本実施形態に係る開口部の止水構造は、以上で説明した各実施形態の構成要素を適宜組み合わせることで構成してもよい。
【符号の説明】
【００５７】
１  開口部の止水構造
２  開閉体（開閉扉）
３  枠体
３１  縦枠部材
３２  上枠部材
３３  下枠部材
４  止水板
４ａ  屋内側面
５  係合部（プッシュボルト）
５１  係合凸部（ボルト軸）
５２  解除ボタン
５３  ケーシング
６  係合受部（受坪）
６２  係合凹部（受箱）
７  止水ゴム
７１  底面止水ゴム
７２  縦枠側止水ゴム
８３  ケーシング
Ｓ  構造物
Ｏ  開口部
Ｗ  壁部
Ｆ  床面
【図１】
0006433747.tif 000002
【図２】
0006433747.tif 000003
【図３】
0006433747.tif 000004
【図４】
0006433747.tif 000005
【図５】
0006433747.tif 000006
【図６】
0006433747.tif 000007
【図７】
0006433747.tif 000008
【図８】
0006433747.tif 000009
【図９】
0006433747.tif 000010
【図１０】
0006433747.tif 000011
【図１１】
0006433747.tif 000012
【図１２】
0006433747.tif 000013